(57)【要約】【課題】  徘徊する可能性が低い被監視者に対しては、監視者にできる限り負担がかからないようにするとともに、徘徊する可能性が高い被監視者に対しては、監視者ができる限り細かく監視できるようにする。【解決手段】  所定の場所に被監視者が携行するＩＣタグ１から無線機情報を読み取る読取装置２を設置する。無線機情報を読み取った読取装置２の場所が移動可能な領域に含まれていなければ、移動可能な領域から出たことを報知して履歴を記憶する。履歴から集計した頻度が所定の頻度よりも低ければ、該当する領域を広く設定することで、移動可能な領域から出ることが少なく徘徊する可能性が低い被監視者が移動しても報知が減る。集計した頻度が所定の頻度よりも高ければ、該当する領域を狭く設定することで、移動可能な領域から出ることが多く徘徊する可能性が高い被監視者が少しでも移動すると報知が行われるようになる。【選択図】        図１
2011035616.tif 000002
【特許請求の範囲】
【請求項１】
徘徊の有無を監視する対象である被監視者によりそれぞれ携行され、自装置を識別するための無線機情報を発信する無線機と、
施設内の所定の場所にそれぞれ設置され、前記無線機が発信する前記無線機情報を読み取ることができる距離に前記無線機が近づいた場合に、前記無線機情報を読み取る読取装置と、
前記読取装置を識別するための読取装置情報および前記読取装置が設置されている場所を示す場所情報を関連付けて記憶し、前記被監視者が前記施設内で移動可能な領域を示す領域情報および前記無線機情報を関連付けて記憶して、前記無線機が前記領域から出たことを履歴情報して記憶する記憶部と、
前記被監視者が前記領域情報に対応する領域から出たことを報知する報知部と、
前記読取装置が前記無線機情報を読み取った場合に、前記無線機情報を読み取った読取装置の読取装置情報に関連付けて前記記憶部に記憶されている場所情報および読み取った前記無線機情報に関連付けて前記記憶部に記憶されている前記領域情報を取得して、取得した前記場所情報が前記領域情報に含まれているか否かを判定する徘徊判定部と、
前記場所情報が前記領域情報に含まれていないと前記徘徊判定部にて判断した場合に、前記報知部を動作させるとともに、履歴情報を前記記憶部に記憶させる制御部と、
前記記憶部に記憶されている前記履歴情報から所定期間内の頻度を示す集計頻度情報を前記無線機情報毎に集計する集計部と、
前記集計部が集計した前記集計頻度情報に対応する頻度が所定の頻度より低いか否かを判定する頻度判定部と、
前記集計部が集計した前記集計頻度情報に対応する頻度が所定の頻度より低いと前記頻度判定部にて判断した場合に、前記記憶部を参照し、該当する無線機情報に関連付けて前記記憶部に記憶されている領域情報に対応する領域をそれよりも広い領域に設定し、一方、前記集計部が集計した前記集計頻度情報に対応する頻度が所定の頻度より高いと前記頻度判定部にて判断した場合に、前記記憶部を参照し、該当する無線機情報に関連付けて前記記憶部に記憶されている領域情報に対応する領域をそれよりも狭い領域に設定する領域設定部と、
を備えたことを特徴とする徘徊検出システム。
【発明の詳細な説明】
【技術分野】
【０００１】
本発明は、病院や介護施設などで患者や被介護者が徘徊したことを発見するための徘徊検出システムに関する。
【背景技術】
【０００２】
従来、病院や介護施設（以下、施設とする）では、患者や被介護者（以下、被監視者とする）がベッドを離れて徘徊することがあった。被監視者が徘徊した場合、被監視者の周囲の状況によっては、被監視者の身に危険が生じてしまうことがあった。そこで、被監視者が徘徊している場合には、そのことを医療従事者や介護者（以下、監視者とする）に知らせる必要があった。
【０００３】
ところで、被監視者が徘徊していることを検出する行動検出システムが知られている（例えば、特許文献１など）。特許文献１に記載の行動検出システムでは、被監視者である老人にＩＤ（Ｉｄｅｎｔｉｆｉｅｒ）タグを保持させ、施設の出入り口や食堂、部屋などにトリガー信号発信器を設置している。トリガー信号発信器から出力されたトリガー信号を受信したＩＤタグは、自装置に割り振られているＩＤ番号を示すＩＤ番号情報を出力する。また、ＩＤタグから出力されたＩＤ番号情報を受信したトリガー信号発信器は、ＩＤ番号情報と自装置が設置されている場所を示す場所情報とをネットワークを介して接続されている管理装置へ送信する。管理装置は、被監視者が移動可能な領域を予め定めており、受信したＩＤ番号情報と場所情報とから、被監視者が移動可能な領域から出たか否かを判定する。被監視者が移動可能な領域から出たと管理装置にて判断した場合に、管理装置は、表示を点滅させるとともに警報音を出力させて被監視者が徘徊していることを監視者に知らせている。これにより、監視者は、被監視者に特に意識させることなく被監視者の行動を監視することができる。
【０００４】
ところで、特許文献１に記載の技術を適用した施設内に、移動可能な領域から出ることが少ない被監視者が居るとする。この被監視者は、移動可能な領域から出ることが少ないため、今のところ徘徊癖は無いと考えられる。しかしながら、このような被監視者であっても、特許文献１に記載の技術では、移動可能な領域を出ると報知が行われるので、監視者が被監視者の安全を確認するために被監視者のところへ駆けつける必要が生じて、監視者に負担をかけてしまうという問題があった。
【０００５】
また、特許文献１に記載の技術を適用した施設内に、移動可能な領域から出ることが多い被監視者が居るとする。この被監視者は、移動可能な領域から出ることが多いため、徘徊癖があると考えられる。しかしながら、特許文献１に記載の技術では、被監視者が移動可能な領域から出ない場合には報知が行われないので、移動可能な領域の中で徘徊癖のある被監視者が徘徊しても報知が行われず、監視者が対応できないという問題があった。
【先行技術文献】
【特許文献】
【０００６】
【特許文献１】特開２００６−２３６１２８号公報
【発明の概要】
【発明が解決しようとする課題】
【０００７】
本発明は、このような問題を解決するために成されたものであり、徘徊する可能性が低い被監視者に対しては、監視者にできる限り負担がかからないようにするとともに、徘徊する可能性が高い被監視者に対しては、監視者ができる限り細かく監視できるようにすることを目的とする。
【課題を解決するための手段】
【０００８】
上述した課題を解決するために、本発明の徘徊検出システムでは、被監視者に無線機を携行させ、施設内の所定の場所に無線機から無線機情報を読み取る読取装置をそれぞれ設置する。被監視者が施設内で移動可能な領域を設定し、被監視者が携行する無線機からの無線機情報を読み取った読取装置の位置が設定された領域に含まれていないと判断した場合に、それを報知して、設定された領域を被監視者が出た頻度を記憶するようにしている。そして、被監視者が移動可能な領域から出た頻度が所定の頻度よりも低いと判断した場合に、その被監視者に対して移動可能な領域を広く設定し、被監視者が移動可能な領域から出た頻度が所定の頻度よりも高いと判断した場合に、その被監視者に対して移動可能な領域を狭く設定するようにしている。
【発明の効果】
【０００９】
上記のように構成した本発明では、移動可能な領域を出た頻度が所定の頻度よりも低い被監視者に対しては、徘徊する可能性が低いと判断して移動可能な領域が広く設定される。これにより、徘徊する可能性が低い被監視者に対しては、移動可能な領域を広く設定して、移動可能な領域から出たことによる報知を減らすようにしている。従って、このような被監視者に対しては、監視者にできる限り負担をかけないようにすることができる。また、移動可能な領域を出た頻度が所定の頻度よりも高い被監視者に対しては、徘徊する可能性が高いと判断して移動可能な領域が狭く設定される。これにより、徘徊する可能性が高い被監視者に対しては、移動可能な領域を狭く設定して、移動可能な領域から出たことによる報知を細かく行うようにしている。従って、このような被監視者に対しては、監視者ができる限り細かく監視することができる。
【図面の簡単な説明】
【００１０】
【図１】本実施形態による徘徊検出システムの構成例を示すブロック図である。
【図２】本実施形態による徘徊検出システムを適用した施設における各構成要素の設置例を示す説明図である。
【図３】本実施形態による徘徊検出システムの報知装置の記憶部の記憶内容例を示す説明図である。
【発明を実施するための形態】
【００１１】
以下、本発明の一実施形態を図面に基づいて説明する。本実施形態による徘徊検出システムの構成例を示すブロック図を図１に示す。同図に示すように、本実施形態による徘徊検出システムは、ＩＣ（Ｉｎｔｅｇｒａｔｅｄ  Ｃｉｒｃｕｉｔ）タグ（特許請求の範囲の無線機に該当する）１、読取装置２、報知装置１０を備えて構成されている。
【００１２】
また、報知装置１０は、制御部１１、インターフェース（以下、Ｉ／Ｆとする）部１２、記憶部１３、報知部１４を備えて構成されている。また、制御部１１は、集計部１１ａ、頻度判定部１１ｂ、領域設定部１１ｃ、徘徊判定部１１ｄ、現在日時取得部１１ｅを備えて構成されている。
【００１３】
図１において、ＩＣタグ１は、施設内を移動する患者や非介護者（以下、被監視者とする）によって常に携行されるものである。ここで、ＩＣタグ１は、被監視者の衣服や靴などに取り付けられている。また、ＩＣタグ１は、ＩＣタグ１と読取装置２とが無線通信可能となる距離に近づいた際に無線を介して読取装置２と接続される。ここで、ＩＣタグ１と読取装置２とが無線通信可能となる距離は、読取装置２が廊下に設置されていれば、少なくとも被監視者が廊下のどの場所に居てもＩＣタグ１と無線通信を確実に行うことができる距離であることが好ましい。また、読取装置２が廊下以外のエリア（例えば、部屋やエレベータなど）内に設置されていれば、少なくとも被監視者がそのエリア内のどの場所に居てもＩＣタグ１と無線通信を確実に行うことができる距離であることが好ましい。また、ＩＣタグ１には、自装置を識別するための無線機情報（例えば、無線機番号など）が予め記憶されている。
【００１４】
読取装置２は、所謂ＩＣタグリーダであり、後述する施設の各場所に設置されるものである。ここで、読取装置２は、伝送線を介して報知装置１０に接続されている。また、読取装置２は、ＩＣタグ１との間で処理のタイミングで定期的に通信を試みる。具体的には、読取装置２は、ＩＣタグ１が読み取り可能な距離に近づいた場合に、ＩＣタグ１と接続してＩＣタグ１に記憶されている無線機情報を読み取る。そして、読取装置２は、読み取った無線機情報を報知装置１０へ出力する。ここで、読取装置２には、自装置を識別するための読取装置情報（例えば、読取装置番号など）が割り振られており、装置用記憶部（図示せず）に記憶されている。また、読取装置２は、無線機情報を報知装置１０へ出力する際に、無線機情報とともに読取装置情報を出力する。
【００１５】
報知装置１０は、被監視者を監視する医療従事者や介護者（以下、監視者とする）が居る部屋（例えば、スタッフルーム）などに設置されており、被監視者が徘徊していることを監視者に知らせるためのものである。ここで、報知装置１０には、施設内の各所に設置されている読取装置２が接続されている。
【００１６】
図２は、本実施形態の徘徊検出システムを適用した施設における各構成要素の設置例を示す図である。同図に示すように、施設は、複数のエリアに分割されている廊下Ｈ１、Ｈ２、エレベータＥ、スタッフルームＳ、複数の部屋Ｒ１、Ｒ２、Ｒ３を内部に設けている。ここで、部屋Ｒ１は、被監視者が居る部屋であり廊下Ｈ１に面している。また、部屋Ｒ１と廊下Ｈ１とを挟んだ向かい側には、エレベータＥおよびスタッフルームＳが設けられている。また、図２中の部屋Ｒ１の右隣には、別の被監視者が居る部屋Ｒ２が設けられている。また、部屋Ｒ２は廊下Ｈ２に面しており、部屋Ｒ２と廊下Ｈ２とを挟んだ向かい側には、別の被監視者が居る部屋Ｒ３が設けられている。
【００１７】
また、廊下Ｈ１、Ｈ２、エレベータＥ内、スタッフルームＳ内および部屋Ｒ１、Ｒ２、Ｒ３内には、読取装置２（２ａ〜２ｇ）を一台ずつ設置している。ここで、ＩＣタグ１を携行している被監視者が居る場所を報知装置２０にて特定することができるように、ＩＣタグ１と読取装置２とが無線通信可能となる距離は、一台の読取装置２のみがＩＣタグ１の無線機情報を読み取ることができる距離に調整されている。例えば、ＩＣタグ１を携行している被監視者が廊下Ｈ１にいる場合には、廊下Ｈ１に設置されている読取装置２ａのみがそのＩＣタグ１の無線機情報を読み取ることができる。
【００１８】
次に、報知装置１０の各構成要素を説明する。制御部１１は、報知装置１０の各構成要素を後述するように制御する。Ｉ／Ｆ部１２は、読取装置２を接続しており、読取装置２から出力された無線機情報および読取装置情報を入力する。記憶部１３は、メモリなどの記憶装置などにより構成されている。また、記憶部１３は、読取装置２を識別するための読取装置情報と読取装置２が設置されている場所を示す場所情報とを関連付けて記憶する。また、記憶部１３は、被監視者が施設内で移動可能な領域を示す領域情報と無線機情報とを関連付けて記憶する。また、記憶部１３は、ＩＣタグ１がそのＩＣタグ１の無線機情報に関連付けて記憶部１３に記憶されている領域情報に対応する領域から出たことを履歴情報して記憶する。
【００１９】
記憶部１３は、図３（ａ）に示すように、読取装置２を示す読取装置番号などの読取装置情報を格納する読取装置番号領域３１、その読取装置２が設置されている場所を示す場所情報を格納する設置場所領域３２を記憶している。読取装置番号領域３１には読取装置番号として、例えば「２ａ」などの情報が格納されている。設置場所領域３２には読取装置２が設置場所として、例えば「Ｈ１」などの情報が格納されている。ここで、監視者などは、読取装置情報および場所情報を図示しない入力部にて入力して記憶部１３に記憶させることで、読取装置２が設置されている場所を登録することができる。
【００２０】
また、記憶部１３は、図３（ｂ）に示すように、被監視者が携行している無線機１を示す無線機番号などの無線機情報を格納する無線機番号領域３３、その被監視者が施設内の場所移動可能な領域を示す領域情報を格納する移動可能領域３４を記憶している。無線機番号領域３３には、無線機番号として、例えば、「Ｍ０１」などの情報が格納されている。移動可能領域３４には、移動可能な領域として、例えば、廊下の場所情報を示す「Ｈ１」、「Ｈ２」、スタッフルームの場所情報を示す「Ｓ」、部屋の場所情報を示す「Ｒ１」、「Ｒ２」、「Ｒ３」などの情報が格納される。
【００２１】
また、記憶部１３は、図３（ｃ）に示すように、被監視者が携行している無線機１を示す無線機番号などの無線機情報を格納する無線機番号領域３５、その被監視者が移動可能な領域から出た日時などの日時情報を格納する読取日時領域３６を記憶している。無線機番号領域３５には、無線機番号として、例えば、「Ｍ０１」などの情報が格納されている。また、読取日時領域３６には、移動可能な領域から出た日時として、例えば「７／２３  １０：００」などの情報が格納されている。
【００２２】
報知部１４は、被監視者が徘徊していることを報知するためのものである。また、報知部１４は、スピーカや表示ディスプレイ、表示灯などにより構成されており、スピーカから呼び出し音や音声を出力させたり、表示ディスプレイに呼び出し表示を行わせたり、表示灯を点灯または点滅させたりして報知を行う。
【００２３】
集計部１１ａは、記憶部１３に記憶されている履歴情報から所定期間における被監視者が移動可能な領域から出た頻度を示す集計頻度情報をＩＣタグ１毎に集計する。また、本実施形態では、所定期間は、例えば、任意に指定された時点までの２４時間などとしている。また、集計部１１ａが集計頻度情報を集計するには、集計の対象となる期間に該当する履歴情報（本実施形態では、少なくとも２４時間分の履歴情報）が記憶部１３に記憶されている必要がある。
【００２４】
制御部１１は、所定のタイミング（例えば、毎日０：００など）で定期的に集計部１１ａを動作させる。具体的には、制御部１１は、所定のタイミングの時点から２４時間遡った日時を算出して、算出した日時から所定のタイミングの時点までの２４時間の履歴情報を抽出し、抽出した履歴情報から無線機情報を取得する。集計部１１ａは、取得した無線機情報により、所定期間におけるＩＣタグ１毎の集計頻度情報を集計する。例えば、図３（ｃ）に示す履歴情報が記憶されている場合に、現在日時７／２４  ０：００になると、集計部１１ａは、７／２４  ０：００から２４時間遡った日時（７／２３  ０：００）までの履歴情報を抽出し、無線機番号Ｍ０１の集計頻度情報が４、無線機番号Ｍ０２の集計頻度情報が１であると集計する。
【００２５】
頻度判定部１１ｂは、集計部１１ａが集計した集計頻度情報が所定の頻度より低いか否かを判定する。ここで、頻度判定部１１ｂは、集計部１１ａが所定期間における集計頻度情報を集計すると動作を開始する。また、所定の頻度とは、被監視者に対して移動可能な領域を広めたり狭めたりするために用いられる基準の頻度であり、監視者などにより予め決められている。頻度判定部１１ｂは、集計部１１ａにて集計した集計頻度情報に対応する頻度と所定の頻度とを比較する。
【００２６】
領域設定部１１ｃは、頻度判定部１１ｂによる判定結果に応じて、該当するＩＣタグ１の領域情報を更新したりするものである。ここで、領域設定部１１ｃは、頻度判定部１１ｂが判定処理を実行すると動作を開始する。具体的には、集計部１１ａにて集計した集計頻度情報に対応する頻度が所定の頻度よりも低いと頻度判定部１１ｂにて判断した場合に、領域設定部１１ｃは、記憶部１３を参照し、集計部１１ａにて集計した集計頻度情報に該当する無線機情報に関連付けて記憶されている領域情報を取得する。領域設定部１１ｃは、取得した領域情報に対応する領域を広い領域に書き換えて記憶部１３に記憶させる。ここで、広い領域として設定されている施設内の各場所については、監視者などにより予め登録されている。
【００２７】
例えば、書き換える前の移動可能な領域がＨ１、Ｈ２、Ｓ、Ｒ１、Ｒ２、Ｒ３であるとする。集計部１１ａにて集計した集計頻度情報に対応する頻度が所定の頻度よりも低いと頻度判定部１１ｂにて判断した場合に、領域設定部１１ｃは、監視者が予め登録しておいた場所（Ｈ１、Ｈ２、Ｅ、Ｓ、Ｒ１、Ｒ２、Ｒ３）を広い領域として記憶部１３に記憶させる。ここで、本実施形態では、移動可能な領域の数が増えることを領域を広く設定することと定義している。
【００２８】
一方、集計部１１ａにて集計した集計頻度情報に対応する頻度が所定の頻度よりも高いと頻度判定部１１ｂにて判断した場合に、領域設定部１１ｃは、記憶部１３を参照し、集計部１１ａにて集計した集計頻度情報に該当する無線機情報に関連付けて記憶されている領域情報を取得する。領域設定部１１ｃは、取得した領域情報に対応する領域を狭い領域に書き換えて記憶部１３に記憶させる。ここで、狭い領域として設定されている施設内の各場所については、監視者などにより予め登録されている。
【００２９】
例えば、書き換える前の移動可能な領域がＨ１、Ｈ２、Ｓ、Ｒ１、Ｒ２、Ｒ３であるとする。集計部１１ａにて集計した集計頻度情報に対応する頻度が所定の頻度よりも高いと頻度判定部１１ｂにて判断した場合に、領域設定部１１ｃは、監視者が予め登録しておいた場所（Ｒ１のみ）を狭い領域として記憶部１３に記憶させる。ここで、本実施形態では、移動可能な領域の数が減ることを領域を狭く設定することと定義している。
【００３０】
徘徊判定部１１ｄは、無線機情報を読み取った読取装置２が設置されている場所がその無線機情報により特定されるＩＣタグ１を携行している被監視者に対して移動可能な領域に含まれているか否かを判定する。Ｉ／Ｆ部１２が読取装置２から出力された無線機情報および読取装置情報を入力した場合に、制御部１１は、記憶部１３を参照し、取得した無線機情報に関連付けて記憶されている領域情報を取得する。また、制御部１１は、記憶部１３を参照し、取得した読取装置情報に関連付けて記憶されている場所情報を取得する。
【００３１】
領域情報および場所情報を取得すると、制御部１１は徘徊判定部１１ｄを動作させる。徘徊判定部１１ｄは、制御部１１にて取得した場所情報が制御部１１にて取得した領域情報に含まれているか否かを判定する。場所情報が領域情報に含まれていると徘徊判定部１１ｄにて判断した場合に、制御部１１は、読取装置２が読み取った無線機情報により特定されるＩＣタグ１を携行している被監視者が移動可能な領域から出ていないと判断し、報知部１４を動作させない。
【００３２】
一方、場所情報が領域情報に含まれていないと徘徊判定部１１ｄにて判断した場合に、制御部１１は、読取装置２が読み取った無線機情報により特定されるＩＣタグ１を携行している被監視者が移動可能な領域から出たと判断し、報知部１４を動作させる。そして、報知部１４は被監視者が徘徊していることを報知する。また、制御部１１は現在日時取得部１１ｅを動作させ、現在日時取得部１１ｅは現在日時を計測する時計部（図示せず）から現在日時を示す現在日時情報を取得する。制御部１１は、取得した無線機情報と現在日時取得部１１ｅにて取得した現在日時情報とを関連付けて履歴情報として記憶部１３に記憶させる。
【００３３】
報知部１４による報知が行われると、監視者は、報知装置１０に備えた操作部（図示せず）を操作する。操作部が操作されると、制御部１１は、報知部１４の動作を停止させる。
【００３４】
次に、図２および図３に示す例に基づいて、本実施形態による徘徊検出システムの領域設定処理および徘徊判定処理を説明する。また、この例では、無線機番号Ｍ０１のＩＣタグ１を携行している被監視者に対して、移動可能な領域がＨ１、Ｈ２、Ｓ、Ｒ１、Ｒ２、Ｒ３であるとしている。また、この例では、所定の頻度を４としている。
【００３５】
まず、無線機番号Ｍ０１のＩＣタグ１を携行している被監視者が部屋Ｒ１から廊下Ｈ１に出ると、廊下Ｈ１に設置されている読取装置２ａが無線機情報（Ｍ０１）を読み取る。無線機情報を読み取った読取装置２ａは、読み取った無線機情報（Ｍ０１）および自装置の読取装置情報（２ａ）を報知装置１０へ出力する。
【００３６】
報知装置１０のＩ／Ｆ部１２が無線機情報および読取装置情報を入力すると、制御部１１は、記憶部１３を参照し、取得した無線機情報（Ｍ０１）に関連付けて記憶されている領域情報（Ｈ１、Ｈ２、Ｓ、Ｒ１、Ｒ２、Ｒ３）を取得する。また、制御部１１は、記憶部１３を参照し、取得した読取装置情報（２ａ）に関連付けて記憶されている場所情報（Ｈ１）を取得する。徘徊判定部１１ｄは、制御部１１にて取得した場所情報が制御部１１にて取得した領域情報に含まれているか否かを判定する。ここで、場所情報が領域情報に含まれているので、制御部１１は報知部１４を動作させない。
【００３７】
さらに、無線機番号Ｍ０１のＩＣタグ１を携行している被監視者が廊下Ｈ１からエレベータＥに移動すると、エレベータＥに設置されている読取装置２ｃが無線機情報（Ｍ０１）を読み取る。無線機情報を読み取った読取装置２ｃは、読み取った無線機情報（Ｍ０１）および自装置の読取装置情報（２ｃ）を報知装置１０へ出力する。
【００３８】
報知装置１０のＩ／Ｆ部１２が無線機情報および読取装置情報を入力すると、制御部１１は、記憶部１３を参照し、取得した無線機情報（Ｍ０１）に関連付けて記憶されている領域情報（Ｈ１、Ｈ２、Ｓ、Ｒ１、Ｒ２、Ｒ３）を取得する。また、制御部１１は、記憶部１３を参照し、取得した読取装置情報（２ｃ）に関連付けて記憶されている場所情報（Ｅ）を取得する。徘徊判定部１１ｄは、制御部１１にて取得した場所情報が制御部１１にて取得した領域情報に含まれているか否かを判定する。ここで、場所情報が領域情報に含まれていないので、制御部１１は報知部１４を動作させる。そして、報知部１４は無線機番号Ｍ０１のＩＣタグ１を携行している被監視者が徘徊していることを報知する。また、現在日時取得部１１ｅは現在日時情報（７／２３  ２２：００）を取得し、制御部１１は取得した無線機情報（Ｍ０１）と現在日時情報（７／２３  ２２：００）とを関連付けて履歴情報として記憶部１３に記憶させる。その後、報知を確認した監視者は、エレベータＥに居る無線機番号Ｍ０１のＩＣタグ１を携行している被監視者のところへ行き、その被監視者を部屋Ｒ１に連れ戻す。
【００３９】
現在時刻が０：００になると、集計部１１ａは、２４時間（７／２３  ０：００から７／２４  ０：００まで）におけるＩＣタグ１毎の集計頻度情報を集計する。無線機番号Ｍ０１のＩＣタグ１の集計頻度情報は５であり所定の頻度情報である４より高くなるため、領域設定部１１ｃは、記憶部１３を参照し、集計部１１ａにて集計した集計頻度情報に該当する無線機情報（Ｍ０１）に関連付けて記憶されている領域情報に対応する領域を狭い領域（Ｒ１のみ）に書き換えて記憶部１３に記憶させる。
【００４０】
その後、無線機番号Ｍ０１のＩＣタグ１を携行している被監視者が部屋Ｒ１から廊下Ｈ１に出ると、廊下Ｈ１に設置されている読取装置２ａが無線機情報（Ｍ０１）を読み取る。無線機情報を読み取った読取装置２ａは、読み取った無線機情報（Ｍ０１）および自装置の読取装置情報（２ａ）を報知装置１０へ出力する。
【００４１】
報知装置１０のＩ／Ｆ部１２が無線機情報および読取装置情報を入力すると、制御部１１は、記憶部１３を参照し、取得した無線機情報（Ｍ０１）に関連付けて記憶されている領域情報（Ｒ１のみ）を取得する。また、制御部１１は、記憶部１３を参照し、取得した読取装置情報（２ａ）に関連付けて記憶されている場所情報（Ｈ１）を取得する。徘徊判定部１１ｄは、制御部１１にて取得した場所情報が制御部１１にて取得した領域情報に含まれているか否かを判定する。ここで、場所情報が領域情報に含まれていないので、制御部１１は報知部１４を動作させる。そして、報知部１４は無線機番号Ｍ０１のＩＣタグ１を携行している被監視者が徘徊していることを報知する。また、現在日時取得部１１ｅは現在日時情報を取得し、制御部１１は取得した無線機情報（Ｍ０１）と現在日時情報とを関連付けて履歴情報として記憶部１３に記憶させる。その後、報知を確認した監視者は、廊下Ｈ１に居る無線機番号Ｍ０１のＩＣタグ１を携行している被監視者のところへ行き、その被監視者を部屋Ｒ１に連れ戻す。このように、無線機番号Ｍ０１のＩＣタグ１を携行している被監視者に対して、移動可能な領域が狭く設定されると、部屋Ｒ２から廊下Ｈ１に出ただけで、報知装置１０は、その被監視者がエレベータＥに来る前に徘徊していることを監視者に知らせることができる。
【００４２】
以上、詳しく説明したように、本実施形態の徘徊検出システムでは、被監視者にＩＣタグ１を携行させ、施設内の所定の場所にＩＣタグ１から無線機情報を読み取る読取装置２をそれぞれ設置する。被監視者が携行するＩＣタグ１からの無線機情報を読み取った読取装置２の場所情報がその無線機情報に関連付けて記憶部１３に記憶されている領域情報に含まれていない場合に、報知装置１０は、被監視者が移動可能な領域から出たことを報知するとともにその履歴を記憶する。そして、報知装置１０は、所定のタイミングで履歴から集計した集計頻度情報に対応する頻度が所定の頻度よりも低い場合に、該当する無線機情報に関連付けて記憶されている領域情報に対応する領域を広い領域に設定し、所定の頻度よりも高い場合に、該当する無線機情報に関連付けて記憶されている領域情報に対応する領域を狭い領域に設定している。
【００４３】
これにより、移動可能な領域から出ることが少なく、徘徊する可能性が低い被監視者が移動しても移動可能な領域から出たことによる報知が減るようになる。従って、徘徊する可能性が低い被監視者に対しては、監視者にできる限り負担がかからないようになる。また、移動可能な領域から出ることが多く、徘徊する可能性が高い被監視者が少しでも移動すると移動可能な領域から出たことによる報知が行われるようになる。従って、徘徊する可能性が高い被監視者に対しては、監視者ができる限り細かく監視することができる。
【００４４】
なお、前述した実施形態では、頻度判定部１１ｂが集計部１１ａにて集計した集計頻度情報に対応する頻度と監視者などにより予め決められている頻度とを比較する際に、所定の頻度として同じものを使用しているが、これに限定されない。例えば、頻度判定部１１ｂは、集計部１１ａにて集計した集計頻度情報に対応する頻度と監視者などにより予め決められている頻度とを比較する際に、所定の頻度として異なるものを使用するようにしても良い。この場合、領域を広く設定する際には、所定の頻度のうち低い頻度を使用して、集計頻度情報に対応する頻度が所定の頻度よりも低いか否かを判定する。一方、領域を狭く設定する際には、所定の頻度のうち高い頻度を使用して、集計頻度情報に対応する頻度が所定の頻度よりも高いか否かを判定する。
【００４５】
また、前述した実施形態では、頻度判定部１１ｂが集計部１１ａにて集計した集計頻度情報に対応する頻度と監視者などにより予め決められている頻度とを比較する際に、所定の頻度として同じものを使用しているが、これに限定されない。例えば、被監視者毎に（換言すると、ＩＣタグ１毎に）所定の頻度を異ならせるようにしても良い。
【００４６】
また、前述した実施形態では、制御部１１は、所定のタイミングで定期的に集計部１１ａを動作させているが、これに限定されない。例えば、制御部１１が履歴情報を記憶部１３に記憶させた際に集計部１１ａを動作させるようにしても良いし、監視者などが手動により集計部１１ａを実行するようにしても良い。
【００４７】
その他、徘徊検出システムの構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００４８】
１    ＩＣタグ
２（２ａ〜２ｇ）    読取装置
１０    報知装置
１１    制御部
１１ａ    集計部
１１ｂ    頻度判定部
１１ｃ    領域設定部
１１ｄ    徘徊判定部
１１ｅ    現在日時取得部
１２    インターフェース（Ｉ／Ｆ）部
１３    記憶部
１４    報知部
３１    読取装置番号領域
３２    設置場所領域
３３、３５    無線機番号領域
３４    移動可能領域
３６    読取日時領域
Ｈ１、Ｈ２    廊下
Ｅ    エレベータ
Ｓ    スタッフルーム
Ｒ１〜Ｒ３    部屋
【図１】
2011035616.tif 000003
【図２】
2011035616.tif 000004
【図３】
2011035616.tif 000005